(57)【要約】  【課題】本発明は、カラオケ装置の歌詞テロップ表示制御システムに関し、歌唱者による歌唱技量を客観的に判断可能として利用者に対して効率的かつ効果的にサポートすることを目的とする。  【解決手段】媒体読取部３７で利用者ＩＤを取得し、利用者が所定の楽曲を歌唱した祭に、採点された最新の当該楽曲における歌唱区間毎の所定の採点情報を、当該利用者ＩＤに関連付けて採点情報記録部２９に記録しておき、歌詞表示制御手段３０において、利用者が所定の楽曲を歌唱する祭に、記録された当該楽曲における歌唱区間毎の採点情報から、各歌唱区間について、当該採点情報が予め設定された採点基準値を上回っている歌唱区間では当該歌唱区間の歌詞テロップを非表示とし、当該採点基準値を下回っている歌唱区間では当該歌唱区間の歌詞テロップの所定部分を表示させる制御を行わせる構成とする。  【選択図】  図１
2008058724.tif 000002
【特許請求の範囲】
【請求項１】
演奏楽曲の歌詞テロップを表示させると共に、歌唱採点手段を備え、当該歌詞テロップの表示形態を制御するカラオケ装置の歌詞テロップ表示制御システムであって、
少なくとも、利用者ＩＤ取得手段、採点情報記録手段及び歌詞表示制御手段を備え、
前記利用者ＩＤ取得手段は、利用者による前記カラオケ装置に対するログイン要求に応じて当該利用者の所持するＩＤ媒体より利用者ＩＤを取得するものであり、
前記採点情報記録手段は、利用者が所定の楽曲を歌唱した際に、前記歌唱採点手段で採点された最新の当該楽曲における歌唱区間毎の所定の採点情報を、前記取得した利用者ＩＤに関連付けて記録しておくものであり、
前記歌詞表示制御手段は、利用者が所定の楽曲を歌唱する際に、前記採点情報記録手段を参照して当該楽曲における歌唱区間毎の前記採点情報を得、各歌唱区間について、当該採点情報が予め設定された採点基準値を上回っている歌唱区間では当該歌唱区間の歌詞テロップを非表示とし、当該採点基準値を下回っている歌唱区間では当該歌唱区間の歌詞テロップの所定部分を表示させる制御を行うものである、
ことを特徴とするカラオケ装置の歌詞テロップ表示制御システム。
【請求項２】
請求項１記載のカラオケ装置の歌詞テロップ表示制御システムであって、
前記歌唱採点手段は、入力される歌唱音声に対して歌唱区間毎の少なくとも音程採点を行うものであり、
前記採点情報記録手段で記憶される最新の採点情報が、前記音程採点情報であることを特徴とするカラオケ装置の歌詞テロップ表示制御システム。
【請求項３】
請求項１記載のカラオケ装置の歌詞テロップ表示制御システムであって、
前記歌唱採点手段は、入力される歌唱音声に対して音声認識を行い、歌唱区間毎の少なくとも歌詞採点を行うものであり、
前記採点情報記録手段で記憶される最新の採点情報が、前記歌詞採点情報であることを特徴とするカラオケ装置の歌詞テロップ表示制御システム。
【発明の詳細な説明】
【技術分野】
【０００１】
本発明は、演奏楽曲の歌詞テロップを表示させると共に、歌唱採点機能を備えたカラオケ装置の歌詞テロップ表示制御システムに関する。
【背景技術】
【０００２】
近年、カラオケ装置においては、演奏される楽曲に関連した映像が表示され、当該表示中に歌唱楽曲の歌詞をも表示させることが一般化し、また、利用者の歌唱に対して採点を行う機能を備えたものまで出現している。このようなカラオケ装置を利用したカラオケ歌唱が一般化した中で、新たな付加価値を備えたものが望まれる。
【０００３】
所定の楽曲を歌唱する場合に歌詞を総て記憶しておくことで感情移入し易くなることから、カラオケ装置の利用による歌唱においても歌詞を見ないで歌唱したいと望む利用者も多く、歌詞を記憶する利用者も増えてきている。また、一方で記憶による脳活性化で認知症予防も可能であるとの書籍等も出版されている中で、歌詞を記憶させるための歌詞表示技術が、以下の特許文献で種々提案されている。
【０００４】
特許文献１には、カラオケ装置で楽音データに基づいて演奏曲が演奏されるときに、歌唱者による歌詞表示選択手段で歌詞テロップの非表示が選択されたときに、歌詞テロップの表示が行われず、非表示モードであることの表示を行わせることが提案されている。
【０００５】
また、特許文献２には、歌唱者の任意の選択で歌詞テロップを表示させないようにするために、パネルの歌詞表示切替ボタンが設けられて、当該歌詞表示切替ボタンが押されてマイクに設けられているカンニングボタンが押されていないときに歌詞を非表示とさせることが提案されている。
【０００６】
【特許文献１】特開平０９−１１４４７６号公報
【特許文献２】特許第３４２３１３７号公報
【発明の開示】
【発明が解決しようとする課題】
【０００７】
しかしながら、特許文献１、２で提案されている何れの手法であっても、利用者によるボタン操作が必要であることから、歌詞を見ないで歌唱するという技量の向上を客観的に判断できるものでなく、専ら利用者自身の判断でマニュアル操作に頼らざるを得ないという問題がある。
【０００８】
そこで、本発明は上記課題に鑑みなされたもので、歌唱者による歌唱技量を客観的に判断可能として利用者に対して効率的かつ効果的にサポートするカラオケ装置の歌詞テロップ表示制御システムを提供することを目的とする。
【課題を解決するための手段】
【０００９】
上記課題を解決するために、請求項１の発明では、演奏楽曲の歌詞テロップを表示させると共に、歌唱採点手段を備え、当該歌詞テロップの表示形態を制御するカラオケ装置の歌詞テロップ表示制御システムであって、少なくとも、利用者ＩＤ取得手段、採点情報記録手段及び歌詞表示制御手段を備え、前記利用者ＩＤ取得手段は、利用者による前記カラオケ装置に対するログイン要求に応じて当該利用者の所持するＩＤ媒体より利用者ＩＤを取得するものであり、前記採点情報記録手段は、利用者が所定の楽曲を歌唱した際に、前記歌唱採点手段で採点された最新の当該楽曲における歌唱区間毎の所定の採点情報を、前記取得した利用者ＩＤに関連付けて記録しておくものであり、前記歌詞表示制御手段は、利用者が所定の楽曲を歌唱する際に、前記採点情報記録手段を参照して当該楽曲における歌唱区間毎の前記採点情報を得、各歌唱区間について、当該採点情報が予め設定された採点基準値を上回っている歌唱区間では当該歌唱区間の歌詞テロップを非表示とし、当該採点基準値を下回っている歌唱区間では当該歌唱区間の歌詞テロップの所定部分を表示させる制御を行うものである、構成とする。
【００１０】
請求項２、３の発明では、「前記歌唱採点手段は、入力される歌唱音声に対して歌唱区間毎の少なくとも音程採点を行うものであり、前記採点情報記録手段で記憶される最新の採点情報が、前記音程採点情報である」構成であり、
「前記歌唱採点手段は、入力される歌唱音声に対して音声認識を行い、歌唱区間毎の少なくとも歌詞採点を行うものであり、前記採点情報記録手段で記憶される最新の採点情報が、前記歌詞採点情報である」構成である。
【発明の効果】
【００１１】
本発明によれば、利用者ＩＤを取得し、利用者が所定の楽曲を歌唱した際に、採点された最新の当該楽曲における歌唱区間毎の所定の採点情報を、当該利用者ＩＤに関連付けて記録しておき、利用者が所定の楽曲を歌唱する際に、記録された当該楽曲における歌唱区間毎の採点情報から、各歌唱区間について、当該採点情報が予め設定された採点基準値を上回っている歌唱区間では当該歌唱区間の歌詞テロップを非表示とし、当該採点基準値を下回っている歌唱区間では当該歌唱区間の歌詞テロップの所定部分を表示させる制御を行わせる構成とすることにより、歌唱者による歌唱技量を客観的に判断することができ、利用者に対して効率的かつ効果的にサポートすることができるものである。
【発明を実施するための最良の形態】
【００１２】
以下、本発明の最良の実施形態を図により説明する。本発明に係る歌詞テロップ表示制御システムを備えるカラオケ装置の構成図を示す。図１において、カラオケ装置１１は、カラオケ本体１２と、当該カラオケ本体１２に附帯する遠隔入出力端末１３を備え、また、通信ネットワーク１４を介してホスト装置１５に対して楽曲データ又は更新楽曲データ等や利用者情報等のデータ授受が自在に接続される。
【００１３】
また、遠隔入出力端末１３は、その構成を省略するが、ユーザインタフェース機能を備えて対応のカラオケ本体１２（後述の送受信部３１）に対して有線方式ないし無線方式（ＩＲ方式やブルートゥース機構のピコネット接続方式など）を利用してデータ授受を行うためのもので、そのための回路基板およびプログラムを備えると共に、利用者に楽曲を選択させる楽曲検索手段１３Ａのプログラムを備える。上記ユーザインタフェース機能としては、例えば備える表示入力部と相俟って液晶ディスプレイ（ＬＣＤ）とタッチセンサとを積層した入出力用を可能とし、表示されるアイコン等に対応して当該タッチセンサにより楽曲の選択などのデータを入力することができるＧＵＩである。また、ホスト装置１５は、その構成を省略するが、少なくもと登録された利用者に関する情報を格納しておく顧客ＤＢ（図示せず）を備えるもので、この利用者に関する情報には少なくとも利用者ＩＤの情報が含まれる。
【００１４】
上記カラオケ本体１２は、バス２１、中央制御部２２、ＲＯＭ２３、ＲＡＭ２４、音楽曲出力部２５、再生制御部２６、楽曲ＤＢ（楽曲データベース）２７Ａ、映像ＤＢ２７Ｂ、歌唱採点手段２８、採点情報記録部２９及び送受信部３１，３２を適宜備える。この場合、上記中央制御部２２は歌詞表示制御手段３０を備える。
【００１５】
また、上記カラオケ本体１２に有線及び無線で外部接続されるものとして、映像表示部３３、ミキシングアンプ３４、マイク３５、スピーカ３６及び利用者ＩＤ取得手段である媒体読取部３７を備える。上記歌詞表示制御手段３０、歌唱採点手段２８、採点情報記録部２９及び利用者ＩＤ取得手段である媒体読取部３７により、歌詞テロップ表示制御システムを構成する。そして、上記媒体読取部３７に対応した少なくとも利用者ＩＤを記憶しているＩＤ媒体５１が利用者（顧客）において所持される。なお、上記各構成について、本発明の要旨と直接関連しない要素部分であっても、従前のカラオケ装置においても大部分が適用可能であることを示すために、装置全体を説明する。
【００１６】
中央制御部２２は、このシステムを統括的に処理制御する物理的なＣＰＵであり、ＲＯＭ２３に記憶されているプログラムに基づくアルゴリズム処理を行う。また、中央制御部２２は、当該システムを統括的に制御処理する他に、上記歌詞表示制御手段３０（後述する）を備える。上記ＲＡＭ２４は、種々のプログラムを展開、実行させるための作業領域としての役割をなすもので、例えば半導体メモリで構成され、仮想的にハードディスク上に構築される場合をも含む概念である。
【００１７】
上記音楽曲出力部２５は、楽曲コードで楽曲ＤＢ２７Ａより抽出された演奏データをデジタル再生し、アナログ変換してミキシングアンプ３４に出力する電子回路である。当該ミキシングアンプ３４は、マイク３５より入力した歌唱者の歌唱音声と、当該音楽曲出力部２５より送られてくる演奏データをミキシングし、増幅してスピーカ３６より出力させるものである。また、マイク３５より入力される音声信号は、歌唱採点手段２８に入力される。
【００１８】
上記再生制御部２６は、演奏時に、選択されて楽曲ＤＢ２７Ａより抽出された楽曲データのうちの歌詞テロップデータ（歌詞文字データ）を当該楽曲の演奏データに同期させて映像表示部３３に出力する電子回路であるが、歌詞テロップデータの表示は上記歌詞表示制御手段３０により制御される。当該映像表示部３３としては例えば、ブラウン管（ＣＲＴ）ディスプレイ、液晶ディスプレイ（ＬＣＤ）、プラズマディスプレイ（ＰＤＰ）等がある。
【００１９】
上記楽曲ＤＢ２７Ａは、演奏データ（ＭＩＤＩデータ）及び歌詞テロップデータが同期されて構成される楽曲データ（ファイル）について楽曲コードをファイル名としてそれぞれ格納したデータベースである。演奏データはそれぞれの楽曲の演奏をデジタル的に表現したデータであり、歌詞テロップデータは演奏データに同期された楽曲の歌詞文字データである。上記映像ＤＢ２７Ｂは、演奏される楽曲に対応した背景映像が、当該楽曲の楽曲コードに対応した映像ファイルとして所定数格納したデータベースである。
【００２０】
上記歌唱採点手段２８は、上記マイク３５より入力される音声信号をデジタル信号に変換する機能を備え、ここでは、入力される歌唱音声に対して歌唱区間毎の少なくとも音程採点を行うプログラムであり、そのための音程判定手段４１及び同期判定手段４２の各プログラムを備えてＲＡＭ２４で実行されると共に、リファレンスデータ４３を備える。
【００２１】
ここで、リファレンスデータ４３は、演奏される楽曲の楽曲データが楽曲ＤＢ２７Ａより抽出されて音楽曲出力部２５に送出される際に、例えば楽曲データに含まれるガイドメロディデータを取得しておくものである。上記音程判定手段４１は、マイク３５より入力される音声信号（変換した音声デジタル信号）の周波数を、リファレンスデータ４３のガイドメロディの周波数と比較して一致程度（ずれ量）を算出して所定基準で採点するプログラムでありＲＡＭ２４で実行される。上記同期判定手段４２は、マイク３５より入力される音声信号（音声デジタル信号）の発声タイミングをリファレンスデータ４３の上記ガイドメロディとの同期状態を判定して、当該タイミングで発声された歌詞の音程を上記音程判定手段４１で採点させるためのプログラムであり、ＲＡＭ２４で実行される。
【００２２】
すなわち、歌唱採点手段２８は、対応楽曲の歌唱区間（フレーズ）毎に、例えばガイドメロディのリファレンスデータ４３に基づき、上記同期判定手段４２で判定される発声タイミングにおける歌唱音声信号の音程に基づいて音程採点を行うものである。この各歌唱区間の音程採点情報は、採点情報記録部２９に、当該楽曲毎に利用者ＩＤに関連付けて記録され、当該利用者ＩＤについて既に同じ楽曲が存在すれば歌唱区間毎に最新のものとして更新する。なお、ここでは、歌唱採点手段２８が、歌唱音声信号の音程（周波数）とリファレンスの音程とを比較してそのずれ量を求めることとしているが、比較する対象は音程に限らず、たとえば、音量やリズムなどを比較してもよく、これら複数の要素を比較するようにしてもよい。
【００２３】
上記採点情報記録部２９は、一例を図２で示すが、利用者が所定の楽曲を歌唱した際に、歌唱採点手段２８で採点された最新の当該楽曲における歌唱区間毎の所定の採点情報を、取得した利用者ＩＤに関連付けて記録しておくメモリ（半導体メモリ、ハードディスク装置）である。当該採点情報記録部２９の記録形態としては、ここでは歌唱採点手段２８の採点情報を直接記録させる場合を示すが、当該採点情報をホスト装置１５に記録しておき、所定の利用者がログインしたときに当該ホスト装置１５よりダウンロードして上記採点情報記録部２９に記憶させる場合であってもよい。
【００２４】
また、中央制御部２２の備える歌詞表示制御手段３０は、利用者が所定の楽曲を歌唱する際に、採点情報記録部２９を参照して当該楽曲における歌唱区間毎の採点情報（要素総合採点の情報）を得、各歌唱区間について、当該採点情報が予め設定された採点基準値を上回っている歌唱区間では当該歌唱区間の歌詞テロップを非表示とし、当該採点基準値を下回っている歌唱区間では当該歌唱区間の歌詞テロップの所定部分（ここでは歌唱区間の歌詞テロップの全部）を表示させる制御を行うプログラムであり、ＲＡＭ２４で実行される。
【００２５】
当該送受信部３１は、遠隔入出力端末１３との間で有線方式ないし無線方式（ＩＲ方式やブルートゥース機構のピコネット接続方式など）を利用してデータ授受を行うためのもので、そのための回路基板およびプログラムを備える。上記送受信部３２は、上記ホスト装置１５と通信ネットワーク１４を介してデータ授受を行うためのもので、通信方式と整合性をとるための例えば物理的な通信用回路やプラットフォーム等のソフトウエアにより構成されるものである。
【００２６】
上記利用者ＩＤ取得手段である媒体読取部３７は、利用者が所持するＩＤ媒体５１から利用者によるカラオケ装置１１に対するログイン要求に応じて当該利用者の所持するＩＤ媒体５１より利用者ＩＤを取得する電子回路及びプログラムであり、取得した利用者ＩＤは一旦ＲＡＭ２４に記憶されて採点情報記録部２９に対するアクセスに供される。当該ＩＤ媒体５１は、少なくとも利用者ＩＤを記憶し、上記媒体読取部３７と例えば非接触でデータ授受が自在のものである。ＩＤ媒体５１としては、例えば、非接触型のＩＣカードや、携帯電話や小型モバイルコンピュータに内蔵させたＩＣカード機能回路等がある。
【００２７】
なお、図示しないが、当該カラオケ本体１２には演奏楽曲、歌唱音声に対する種々の調節を行うボタンやツマミ類が可変抵抗器等の電子素子に直結された操作パネルも接続され、当該操作パネルはエコーや左右バランス、スピーカ３６からの出力音量のボリウム等を備える。
【００２８】
ここで、図２に、図１の採点情報記録部の一例の説明図を示す。図２において、採点情報記録部２９には、例えば、利用者ＩＤ毎に、当該利用者が歌唱した楽曲（楽曲コード）に対応させて、当該楽曲の歌唱区間（フレーズ）毎に上記歌唱採点手段２８が採点した音程採点を記録したもので、同じ楽曲については最新の採点情報が記録される。この各歌唱区間（フレーズ）の採点情報が、当該歌唱区間で歌詞テロップを表示させるか否かの対象となる。
【００２９】
すなわち、歌唱に際して歌詞を間違えたり、忘却した場合には、音程や同期のずれることが経験的に得られたもので、例えば、上記歌詞表示制御手段３０に設定された採点基準値（例えば８５点）以下のフレーズが特定されて、当該フレーズの歌詞テロップの表示が制御されるものである。
【００３０】
そこで、図３に本発明に係る歌詞テロップ表示制御の処理フローチャートを示すと共に、図４に図３におけるフレーズ歌詞テロップ表示の説明図を示す。図３（Ａ）において、まず、利用者によるカラオケ装置１１に対するログイン要求に応じて当該利用者の所持するＩＤ媒体５１より媒体読取部３７が利用者ＩＤを取得し、取得された利用者ＩＤは、一旦ＲＡＭ２４に記憶される（ステップ（Ｓ）１）。そこで、当該利用者による利用者ＩＤに基づいて楽曲が選択された場合、歌詞制御表示手段３０が取得した利用者ＩＤに基づいて、採点情報記録部２９を参照する（Ｓ２）。
【００３１】
参照の結果、利用者ＩＤが存在しなければ終了し（Ｓ３）、当該利用者ＩＤが存在し、当該利用者の選択した楽曲と同じ楽曲（楽曲コード）が存在しなければ終了する（Ｓ４）。当該利用者ＩＤが存在し（Ｓ３）、選択された楽曲と同じ楽曲（楽曲データ）が存在すれば（Ｓ４）、当該利用者ＩＤの楽曲コード欄に対応した各フレーズ採点に対し、予め設定された採点基準値（例えば、８５点）以下であるフレーズを特定する（Ｓ５）。
【００３２】
そこで、歌詞表示制御手段３０が、当該選択された楽曲の演奏開始に伴い、歌詞テロップ表示制御を開始する（Ｓ１１）。演奏が開始されてから、上記採点基準値で特定した歌唱区間（フレーズ）以外の歌唱区間の場合には（Ｓ１２）、楽曲ＤＢ２７Ａより送出されてくる各歌唱区間の歌詞テロップを非表示とさせる非表示制御信号を再生制御部２６に送出することで当該歌唱区間の歌詞テロップは表示されない（Ｓ１３）。
【００３３】
この状態は、図４の映像表示部３３において表示される背景映像画面６１上に合成表示されるべき歌詞テロップの非表示形態として、例えば「・・・」のフレーズ歌詞非表示テロップ６２で表す。当該フレーズ歌詞非表示テロップ６２で表すことによって、演奏の進行に伴う歌詞進行を把握することができる。なお、完全な無表示としてもよい。例えば、図２に示すように（利用者ＩＤ「＊＊＊＊＊＊＊＊０２」の利用者）、採点情報記録部２９を参照して総ての歌唱区間の採点情報が採点基準値を上回っている場合には、歌詞テロップは一切表示されないこととなり、「・・・」で表す必要もなく、完全な無表示とさせることで十分である。
【００３４】
一方、演奏が進むにつれて、所定の歌唱区間（フレーズ）が上記採点基準値で特定した歌唱区間（フレーズ）の場合には（Ｓ１２）、楽曲ＤＢ２７Ａより送出されてくる各歌唱区間の該当の歌詞テロップを全表示とさせる表示制御信号を再生制御部２６に送出することで当該歌唱区間の歌詞テロップが全表示される（Ｓ１４）。この状態は、図４の映像表示部３３において表示される背景映像画面６１上に歌詞テロップをフレーズ歌詞全表示テロップ６３として合成表示させるものである。当該フレーズ歌詞全表示テロップ６３を表示させることによって、当該歌唱区間の歌詞を歌唱者に記憶させるサポートとなるものである。そして、これらの歌詞テロップ表示制御が演奏されている楽曲が終了するまで続けられるものである（Ｓ１５）。
【００３５】
なお、当該楽曲の歌唱においても、歌唱採点手段２８では、各歌唱区間で要素総合採点を行っており、上記採点情報記録部２９に利用者ＩＤが存在しなければ新たに設け、また、利用者により選択された楽曲と同じ楽曲（楽曲コード）が存在しなければ新たに設けて各歌唱区間（フレーズ）欄に採点情報が記録される。一方、利用者ＩＤ及び利用者が選択した楽曲と同じ楽曲（楽曲コード）が存在する場合には、各歌唱区間の採点情報を更新して最新のものとする。すなわち、採点情報記録部２９には常に最新の採点情報が記録されるものである。
【００３６】
このように、歌唱者による歌唱技量を採点情報記録部２９における最新の各歌唱区間の採点情報で客観的に判断することができ、自動で歌詞テロップの表示、非表示を制御することで利用者に対する歌詞記憶を効率的かつ効果的にサポートすることができるものである。なお、歌唱採点を音程や音量に対して行う歌唱採点手段２８を備えているカラオケ装置であっても本発明を適用させることができるものである。
【００３７】
次に、図５に、歌詞テロップ表示制御におけるフレーズ特定の他の構成説明図を示す。図５（Ａ）は上記歌唱採点手段２８のブロック図、図５（Ｂ）は採点情報記録部２９における記録内容の一例の説明図である。図５（Ａ）において歌唱採点手段２８は、上記音程判定手段４１に代えて、歌詞判定手段４４を備えさせたものである。この場合、リファレンスデータ４３は、演奏される楽曲の歌詞データ（テキストコードデータ）を、所定フレーズ単位のデータとして楽曲ＤＢ２７Ａより取得する。
【００３８】
上記歌詞判定手段４４は、入力される歌唱音声信号の歌唱区間毎の発声言葉を認識してテキストコード変換する機能を備え、対応楽曲の歌唱区間（フレーズ）毎に、テキストコードデータのリファレンスデータ４３に基づき、上記同期判定手段４２で判定される発声タイミングにおける歌唱音声信号の歌詞内容（文字データ）との一致程度から音声認識歌詞採点を判定するプログラムである。例えば、一音間違える毎に５点ずつ減点していくことにより採点する。
【００３９】
上記歌詞採点の情報が、図５（Ｂ）に示すように、利用者ＩＤの当該利用者が歌唱した楽曲（楽曲コード）毎に、当該楽曲の各歌唱区間（フレーズ）に対して記録されるもので、同じ楽曲については最新の歌詞採点情報として記録されるものである。この各歌唱区間（フレーズ）の歌詞採点の情報が、当該歌唱区間で歌詞テロップを表示させるか否かの対象となる。
【００４０】
すなわち、利用者による利用者ＩＤに基づいて楽曲が選択された場合、歌詞制御表示手段３０が取得した利用者ＩＤに基づいて、採点情報記録部２９を参照して、各フレーズの歌詞採点の情報が、予め設定された採点基準値（例えば、８５点）以下であるフレーズを特定し、特定したフレーズが演奏されるときに、当該歌唱区間の歌詞テロップを全表示とさせる表示制御信号を再生制御部２６に送出することで当該歌唱区間の歌詞テロップは全表示させるものである。
【００４１】
このように、歌唱採点手段２８による各歌唱区間の歌唱採点が、歌詞判定を要素とするものであれば、当該歌詞採点に基づいて歌詞表示の制御を行うことができるものであり、これによって当該歌詞の採点情報に基づいて歌唱者の歌唱技量を客観的に判断することができ、自動で歌詞テロップの表示、非表示を制御することで利用者に対する歌詞記憶を効率的かつ効果的にサポートすることができるものである。
【００４２】
次に、図６に、歌詞テロップ表示制御における歌詞テロップ表示の他の説明図を示す。図６（Ａ）は歌詞テロップ表示状態の説明図、図６（Ｂ）は歌詞テロップ表示制御のフローチャートである。この実施形態では、歌詞表示制御手段３０が、該当歌唱区間で歌詞テロップを表示させる場合に、当該歌唱区間の歌詞テロップの全部を表示させるのではなく、図６（Ａ）に示すように、採点情報記録部２９に記録されている採点情報の歌詞採点に応じた比率で当該歌詞テロップの一部分、例えば最初の歌詞部分（頭出し歌詞部分）から当該比率に応じた文字数をフレーズ歌詞部分表示テロップ６４として表示させるというものである。例えば、歌詞採点が０点の場合には当該フレーズの歌詞テロップを全表示させ、５０点の場合には頭歌詞から半分表示させ、７５点の場合には頭歌詞から４分の３表示させる。
【００４３】
なお、歌詞表示制御手段３０における歌詞テロップの表示、非表示のフレーズ特定は、図１に示す歌唱採点手段２８又は図５（Ａ）に示す歌唱採点手段２８で採点された各歌唱区間の採点情報（図２又は図５（Ｂ））と設定基準値との比較でなされ、該当のフレーム及びその採点情報に基づく歌詞テロップの表示文字数を特定しておく。
【００４４】
すなわち、図６（Ｂ）において、歌詞テロップを表示制御する該当歌唱区間（フレーズ）及び採点情報に基づく歌詞テロップの表示文字数が特定されていることを前提として、歌詞表示制御手段３０が、当該選択された楽曲の演奏開始に伴い、歌詞テロップ表示制御を開始する（Ｓ２１）。演奏が開始されてから、上記採点基準値で特定した歌唱区間（フレーズ）以外の歌唱区間の場合には（Ｓ２２）、当該歌唱区間の歌詞テロップを非表示とさせる非表示制御信号を再生制御部２６に送出することで当該歌唱区間の歌詞テロップを表示させない（Ｓ２３）。
【００４５】
一方、演奏が進むにつれて、所定の歌唱区間（フレーズ）が上記採点基準値で特定した歌唱区間（フレーズ）の場合には（Ｓ２２）、当該フレーズにおける歌詞テロップの歌詞データのうち、歌詞採点に応じた比率の歌詞文字数を表示制御する（Ｓ２４）。この状態は、図６（Ａ）の映像表示部３３において表示される背景映像画面６１上に歌詞テロップをフレーズ歌詞部分表示テロップ６４として合成表示されるものである。そして、これらの歌詞テロップ表示制御が演奏されている楽曲が終了するまで続けられるものである（Ｓ２５）。
【００４６】
このように、該当歌唱区間で歌詞採点の比率に応じた歌詞文字数のフレーズ歌詞部分表示テロップ６４のみを表示させることによって、当該歌唱区間の歌詞の思い出しを喚起させることができ、利用者に対する歌詞記憶を効率的かつ効果的にサポートすることができるものである。
【産業上の利用可能性】
【００４７】
本発明のカラオケ装置の歌詞テロップ表示制御システムは、演奏楽曲の歌詞テロップを表示させると共に、歌唱採点機能を備えたカラオケ装置全般に利用可能である。
【図面の簡単な説明】
【００４８】
【図１】本発明に係る歌詞テロップ表示制御システムを備えるカラオケ装置の構成図である。
【図２】図１の採点情報記録部の一例の説明図である。
【図３】本発明に係る歌詞テロップ表示制御の処理フローチャートである。
【図４】図３におけるフレーズ歌詞テロップ表示の説明図である。
【図５】歌詞テロップ表示制御におけるフレーズ特定の他の構成説明図である。
【図６】歌詞テロップ表示制御における歌詞テロップ表示の他の説明図である。
【符号の説明】
【００４９】
１１            カラオケ装置
１２            カラオケ本体
１３            遠隔入出力端末
２２            中央制御部
２７Ａ          楽曲ＤＢ
２８            歌唱採点手段
２９            採点情報記録部
３０            歌詞表示制御手段
３３            映像表示部
４４            歌詞判定手段
５１            ＩＤ媒体
６１            背景映像画面
６２            フレーズ歌詞非表示テロップ
６３            フレーズ歌詞全表示テロップ
６４            フレーズ歌詞頭表示テロップ
【図１】
2008058724.tif 000003
【図２】
2008058724.tif 000004
【図３】
2008058724.tif 000005
【図４】
2008058724.tif 000006
【図５】
2008058724.tif 000007
【図６】
2008058724.tif 000008